【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
放射線発生手段と、
前記放射線発生手段からの放射線を電気信号に変換する複数の放射線検出素子がマトリクス状に配列されて構成され、放射線の検出を行う放射線検出手段と、
前記放射線検出手段から電気信号を読み出す読み出し手段と、
前記読み出し手段が読み出した電気信号を記憶する記憶手段と、
前記記憶手段に記憶された電気信号の処理を行う信号処理手段と、
前記放射線発生手段と前記放射線検出手段の位置を制御する位置制御手段と、
を有し、
複数フレームにわたって前記放射線発生手段及び前記放射線検出手段が移動して、前記放射線発生手段と前記放射線検出手段との間に配置される被検出体を透過した放射線の検出を前記放射線検出手段が行う時に、前記複数の放射線検出素子のうちの第１の放射線検出素子が位置する第１の点と前記放射線発生手段が位置する点とを結ぶ第１の直線と前記被検出体内に設定された一の平面との第１の交点が、実質的に第１の定点となっているように、且つ、前記第１の放射線検出素子とは異なる第２の放射線検出素子が位置する第２の点と前記放射線発生手段が位置する点とを結ぶ第２の直線と前記平面との第２の交点が、実質的に第２の定点となっているように、前記位置制御手段は前記放射線発生手段及び前記放射線検出手段を移動させ、
前記読み出し手段は、複数フレームにわたって、前記放射線検出素子が生成した電気信号を１フレーム毎に読み出すことを特徴とする放射線撮像装置。
【請求項２】
前記記憶手段は、前記読み出し手段が読み出した電気信号をフレーム毎に記憶することを特徴とする請求項１に記載の放射線撮像装置。
【請求項３】
前記記憶手段は、前記放射線検出手段による１フレーム分の放射線の検出で前記複数の放射線検出素子から得られた電気信号を１群の情報群として記憶し、
前記信号処理手段は、前記記憶手段に記憶された複数フレーム分の情報群に基づいて、前記平面又はこれに平行な平面の断層像を得ることを特徴とする請求項１又は２に記載の放射線撮像装置。
【請求項４】
前記信号処理手段は、フレーム毎に選択した放射線検出画素から得られた電気信号の平均化処理を行い、この結果に基づいて前記平面又はこれに平行な平面の断層像を得ることを特徴とする請求項１乃至３のいずれか１項に記載の放射線撮像装置。
【請求項５】
前記放射線発生手段及び前記放射線検出手段の移動は、前記放射線発生手段による放射線の発生及び前記放射線検出素子による放射線の電気信号への変換の度に停止することを特徴とする請求項１乃至４のいずれか１項に記載の放射線撮像装置。
【請求項６】
前記被検出体が動物である場合に、前記放射線発生手段は、前記動物の心臓の拍動及び呼吸の少なくとも一方に同期させてパルス状に放射線を発生することを特徴とする請求項１乃至５のいずれか１項に記載の放射線撮像装置。
【請求項７】
前記放射線検出素子は、放射線を可視光に変換する波長変換体と、前記可視光を受光して電気信号に変換する光電変換体と、前記電気信号を転送するスイッチ素子と、を有することを特徴とする請求項１乃至６のいずれか１項に記載の放射線撮像装置。
【請求項８】
前記光電変換体は、アモルファスシリコンを主材料として構成されていることを特徴とする請求項７に記載の放射線撮像装置。
【請求項９】
放射線発生手段と、
前記放射線発生手段からの放射線を電気信号に変換する複数の放射線検出素子がマトリクス状に配列されて構成され、放射線の検出を行う放射線検出手段と、
前記放射線検出手段から電気信号を読み出す読み出し手段と、
前記放射線発生手段と前記放射線検出手段の位置を制御する位置制御手段と、
を有する放射線撮像装置を用いた放射線撮像方法であって、
複数フレームにわたって前記放射線発生手段及び前記放射線検出手段が移動して、前記放射線発生手段と前記放射線検出手段との間に配置される被検出体を透過した放射線の検出を前記放射線検出手段が行う時に、前記複数の放射線検出素子のうちの第１の放射線検出素子が位置する第１の点と前記放射線発生手段が位置する点とを結ぶ第１の直線と前記被検出体内に設定された一の平面との第１の交点が、実質的に第１の定点となっているように、且つ、前記第１の放射線検出素子とは異なる第２の放射線検出素子が位置する第２の点と前記放射線発生手段が位置する点とを結ぶ第２の直線と前記平面との第２の交点が、実質的に第２の定点となっているように、前記位置制御手段を用いて前記放射線発生手段及び前記放射線検出手段を移動させ、
前記読み出し手段を用いて、複数フレームにわたって、前記放射線検出素子が生成した電気信号を１フレーム毎に読み出すことを特徴とする放射線撮像方法。
【請求項１０】
放射線発生手段と、
前記放射線発生手段からの放射線を電気信号に変換する複数の放射線検出素子がマトリクス状に配列されて構成され、放射線の検出を行う放射線検出手段と、
前記放射線検出手段から電気信号を読み出す読み出し手段と、
前記読み出し手段が読み出した電気信号を記憶する記憶手段と、
前記記憶手段に記憶された電気信号の処理を行う信号処理手段と、
前記放射線発生手段と前記放射線検出手段の位置を制御する位置制御手段と、
を有する放射線撮像装置をコンピュータに制御させるためのプログラムであって、
複数フレームにわたって前記放射線発生手段及び前記放射線検出手段が移動して、前記放射線発生手段と前記放射線検出手段との間に配置される被検出体を透過した放射線の検出を前記放射線検出手段が行う時に、前記複数の放射線検出素子のうちの第１の放射線検出素子が位置する第１の点と前記放射線発生手段が位置する点とを結ぶ第１の直線と前記被検出体内に設定された一の平面との第１の交点が、実質的に第１の定点となっているように、且つ、前記第１の放射線検出素子とは異なる第２の放射線検出素子が位置する第２の点と前記放射線発生手段が位置する点とを結ぶ第２の直線と前記平面との第２の交点が、実質的に第２の定点となっているように、前記位置制御手段を用いて前記放射線発生手段及び前記放射線検出手段を移動させる手順と、
前記読み出し手段を用いて、複数フレームにわたって、前記放射線検出素子が生成した電気信号を１フレーム毎に読み出す手順と、
をコンピュータに実行させることを特徴とするプログラム。
【手続補正２】
【補正対象書類名】明細書
【補正対象項目名】００１３
【補正方法】変更
【補正の内容】
【００１３】
本発明に係る放射線撮像装置は、放射線発生手段と、前記放射線発生手段からの放射線を電気信号に変換する複数の放射線検出素子がマトリクス状に配列されて構成され、放射線の検出を行う放射線検出手段と、前記放射線検出手段から電気信号を読み出す読み出し手段と、前記読み出し手段が読み出した電気信号を記憶する記憶手段と、前記記憶手段に記憶された電気信号の処理を行う信号処理手段と、前記放射線発生手段と前記放射線検出手段の位置を制御する位置制御手段と、を有し、複数フレームにわたって前記放射線発生手段及び前記放射線検出手段が移動して、前記放射線発生手段と前記放射線検出手段との間に配置される被検出体を透過した放射線の検出を前記放射線検出手段が行う時に、前記複数の放射線検出素子のうちの第１の放射線検出素子が位置する第１の点と前記放射線発生手段が位置する点とを結ぶ第１の直線と前記被検出体内に設定された一の平面との第１の交点が、実質的に第１の定点となっているように、且つ、前記第１の放射線検出素子とは異なる第２の放射線検出素子が位置する第２の点と前記放射線発生手段が位置する点とを結ぶ第２の直線と前記平面との第２の交点が、実質的に第２の定点となっているように、前記位置制御手段は前記放射線発生手段及び前記放射線検出手段を移動させ、前記読み出し手段は、複数フレームにわたって、前記放射線検出素子が生成した電気信号を１フレーム毎に読み出すことを特徴とする。
【手続補正３】
【補正対象書類名】明細書
【補正対象項目名】００１４
【補正方法】変更
【補正の内容】
【００１４】
本発明に係る放射線撮像方法は、放射線発生手段と、前記放射線発生手段からの放射線を電気信号に変換する複数の放射線検出素子がマトリクス状に配列されて構成され、放射線の検出を行う放射線検出手段と、前記放射線検出手段から電気信号を読み出す読み出し手段と、前記放射線発生手段と前記放射線検出手段の位置を制御する位置制御手段と、を有する放射線撮像装置を用いた放射線撮像方法であって、複数フレームにわたって前記放射線発生手段及び前記放射線検出手段が移動して、前記放射線発生手段と前記放射線検出手段との間に配置される被検出体を透過した放射線の検出を前記放射線検出手段が行う時に、前記複数の放射線検出素子のうちの第１の放射線検出素子が位置する第１の点と前記放射線発生手段が位置する点とを結ぶ第１の直線と前記被検出体内に設定された一の平面との第１の交点が、実質的に第１の定点となっているように、且つ、前記第１の放射線検出素子とは異なる第２の放射線検出素子が位置する第２の点と前記放射線発生手段が位置する点とを結ぶ第２の直線と前記平面との第２の交点が、実質的に第２の定点となっているように、前記位置制御手段を用いて前記放射線発生手段及び前記放射線検出手段を移動させ、前記読み出し手段を用いて、複数フレームにわたって、前記放射線検出素子が生成した電気信号を１フレーム毎に読み出すことを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
本発明に係るプログラムは、放射線発生手段と、前記放射線発生手段からの放射線を電気信号に変換する複数の放射線検出素子がマトリクス状に配列されて構成され、放射線の検出を行う放射線検出手段と、前記放射線検出手段から電気信号を読み出す読み出し手段と、前記読み出し手段が読み出した電気信号を記憶する記憶手段と、前記記憶手段に記憶された電気信号の処理を行う信号処理手段と、前記放射線発生手段と前記放射線検出手段の位置を制御する位置制御手段と、を有する放射線撮像装置をコンピュータに制御させるためのプログラムであって、複数フレームにわたって前記放射線発生手段及び前記放射線検出手段が移動して、前記放射線発生手段と前記放射線検出手段との間に配置される被検出体を透過した放射線の検出を前記放射線検出手段が行う時に、前記複数の放射線検出素子のうちの第１の放射線検出素子が位置する第１の点と前記放射線発生手段が位置する点とを結ぶ第１の直線と前記被検出体内に設定された一の平面との第１の交点が、実質的に第１の定点となっているように、且つ、前記第１の放射線検出素子とは異なる第２の放射線検出素子が位置する第２の点と前記放射線発生手段が位置する点とを結ぶ第２の直線と前記平面との第２の交点が、実質的に第２の定点となっているように、前記位置制御手段を用いて前記放射線発生手段及び前記放射線検出手段を移動させる手順と、前記読み出し手段を用いて、複数フレームにわたって、前記放射線検出素子が生成した電気信号を１フレーム毎に読み出す手順と、をコンピュータに実行させることを特徴とする。
【手続補正６】
【補正対象書類名】明細書
【補正対象項目名】００１７
【補正方法】削除
【補正の内容】